(57)【特許請求の範囲】
【請求項１】
電話回線よりの情報が入力される電話機回路と、前記電話機回路から通知される発信者番号を検出する発信者番号検出手段と、前記電話機回路、発信者番号検出手段にそれぞれ接続され、前記電話回線への接続を制御する制御手段と、前記制御手段に接続され、特定の相手先の番号を記憶する記憶手段と、前記制御手段、電話機回路に接続され、メッセージを録音再生する録音再生手段とを備え、外部回線からの着信に際し、前記記憶手段に記憶されている電話番号と、前記発信者番号検出手段が検出した発信者番号とが一致し、かつ、前記録音再生手段に録音されたメッセージが存在しない場合に、前記電話機回路からの着信に対して応答しないよう構成したことを特徴とする留守番電話機。
【請求項２】
電話回線よりの情報が入力される電話機回路と、前記電話機回路から通知される発信者番号を検出する発信者番号検出手段と、前記電話機回路、発信者番号検出手段にそれぞれ接続され、前記電話回線への接続を制御する制御手段と、前記制御手段に接続され、特定の相手先の番号を記憶する記憶手段と、前記制御手段、電話機回路に接続され、メッセージを録音再生する録音再生手段とを備え、外部回線からの着信に際し、前記記憶手段に記憶されている電話番号と、前記発信者番号検出手段が検出した発信者番号とが一致しない場合にはトールセーバ機能モードなり、前記検出した発信者番号とが一致し、かつ、前記録音再生手段に録音されたメッセージが存在しない場合に、前記発信者番号が一致しない場合に比べて、電話機回路からの着信に対して応答するまでのベル鳴動回数が多くなるよう構成したことを特徴とする留守番電話機。
【発明の詳細な説明】
【０００１】
【発明の属する技術分野】
本発明は、留守番電話機に係り、特に、留守番電話の録音メッセージを外出先から聞く、いわゆるリモコン機能を使用する際に、メッセージの有無を判断し、次への正しい対応を行うようにした留守番電話機に関するものである。
【０００２】
【従来の技術】
一般に、留守番機能付電話装置（以下、留守番電話機と呼ぶ）は、着信に自動応答して音声メッセージの記録／再生を行う機能を利用して、その装置を所有する所有者と、所有者により許可された特定の相手、すなわち登録者（発信者）との間で、用件や伝言をやり取りする機能を有するものである。このような留守番電話機としては、所有者は外出に際し、この留守番電話機に所定の操作を行うことにより、不在であっても相手からのメッセージが留守番電話機に録音（記録）されることで、外出より戻った際、これまた所定の操作により相手からのメッセージを聞くことができるので、大変便利である。一方、この便利さの裏返しとして、第三者に電話番号が知られた場合には、その内容が漏れてしまうことになり、秘話性としては十分なものとは云えない。すなわち、プライバシーの保護の面からみると問題があった。
【０００３】
そこで、従来、このような留守番電話機では、プライバシーを保護するため、発信者に対して予め付与されている識別情報、例えば暗証番号の入力を求め、発信者から送出された暗証番号と登録されている暗証番号とを比較し、その一致に応じて所有者あるいは登録者を認識して、用件や伝言の再生を許可するようにしていた。
【０００４】
ところで、この種の留守番電話機にあって、外出先から留守番電話の録音メッセージを聞くリモコン操作の際に、応答前に、録音メッセージの有無を通知する目的で、例えばメッセージが無いときは５回、メッセージが有るときは２回の鳴動後に応答する、いわゆるトールセーバが一般的に使用されている。すなわち、２回鳴動して応答しない場合は、メッセージが無いことを意味するので、３回の鳴動を聞いた後、すぐ電話を切ることによって、通話料金を払わずに済むようにしたものである。
【０００５】
しかるに、このトールセーバによれば、発信者側に聞こえるリングバックトーンの回数と、ベル鳴動回数が正確に一致しないため、判断ミスを犯し、トールセーバを有効に機能させることが出来ない場合がある。また、１件目の録音については、例えば、５回の鳴動を待たないと留守番電話機が応答してくれないので、より早くメッセージの有無を知りたい場合には、十分対応できないという問題点がある。また、第三者に留守録メッセージの有無が知られるという問題もある。
【０００６】
ここで、本発明の理解を助けるために、従来の留守番電話機の構成等について図４、図５を参照して説明する。図４は、従来の留守番電話機２０のブロック構成図である。この図４中、１は、電話機回路であり、電話回線６の直流ループの閉結・解放、電話回線６に音声信号を送出する、電話回線６からの音声信号を受信する、電話回線６にダイヤル信号を送出する（ダイヤルパルス又はＤＴＭＦ信号）、電話回線６からのベル鳴動信号を検出する等の機能を有している。また、この電話機回路１には、着信時に鳴動するベル音をカウントする図示しないカウンタ、相手との会話を行うためのこれまた図示しない送、受話器が内装されている。
【０００７】
２は、前記した電話機回路１に接続された発信者番号検出回路であり、送られてくる発信者情報を受信するための、いわゆるモデムである。なお、この発信者番号検出回路２は、必要に応じて使用されるものであり、必須ではない。この発信者番号検出回路２より検出した信号の使い方は各種あるが、例えば、受けたくない相手に拒否メッセージを流す、あるいは、特定の相手からの時だけベルを鳴らすなどに使われる。
【０００８】
３は、前記した電話機回路１、発信者番号検出回路２にそれぞれ接続された制御回路であり、マイクロコンピュータ等で構成され、通常の電話機としての動作を実現するためにタイミングを含めた制御を行うものである。
【０００９】
４は、前記した電話機回路１及び制御回路３に接続された録音再生回路であり、図示しないテープレコーダまたは半導体録音装置等によって構成され、留守番電話としての応答メッセージと留守録メッセージを録音するものである。ここで、録音再生回路４の構成につき詳細に説明する。
【００１０】
録音再生回路４は、相手からの着信メッセージと所望の第１の応答用メッセージを録音するための、前記した図示しないテープレコーダと、着信が生じた後に相手に対して送出される所定の第２の応答メッセージが予め記憶された、読み出し専用のこれまた図示しない固体記憶部である、例えばＲＯＭを有しており、このＲＯＭは、これに記憶された所定の音声を選択して合成する音声合成ＩＣを介して前記した制御回路３に接続されている。
【００１１】
前記した録音再生回路４の一部を構成する図示しないテープレコーダは、相手からの着信メッセージ（ＩＣＭ：Ｉｎ  Ｃｏｍｉｎｇ  Ｍｅｓｓａｇｅ）を録音する以外に、留守番機能時に状況に応じて必要とされる第１の応答用メッセージ、例えば、「はい○○です。１時間程留守にします。」、「唯今出かけております。」、「唯今手が離せません。」等のオリジナルなメッセージ（ＯＧＭ：Ｏｕｔ  Ｇｏｉｎｇ  Ｍｅｓｓａｇｅ）をユーザが状況に応じて消去可能に録音するものである。
【００１２】
これに対して、同じく録音再生回路４の一部を構成する固体記憶部である図示しないＲＯＭには、留守番録音時に、着信メッセージの後に時間や曜日等を付すタイムスタンプに必要な時間や曜日データの外に、第２の応答用メッセージ、例えば、「ピーという信号音の後にお名前とメッセージをお話ください。」、「しばらくお待ちください。」等の留守番機能を発揮させるためには必ず必要とされる固定的なメッセージ（ＯＧＭ）を、予め、例えば、工場出荷時に記憶させておく。
【００１３】
そして、上記第１の応答用メッセージと第２の応答用メッセージは、選択的に使用出来るように構成され、特に、オリジナルなＯＧＭである第１の応答用メッセージが選択されたときには、このメッセージ送出後に引き続いて固定的なＯＧＭである第２の応答用メッセージが必ず送出されるように構成されている。
【００１４】
また、第２の応答用メッセージが送出されている間には、上記テープレコーダは図示しないテープドライバによって早送りされ、着信メッセージの録音準備のために頭出しがなされるように構成されている。この場合、テープレコーダにすでに数件の着信メッセージが記録されていて、頭出し操作に多少の時間を要するときには、その間に前記したＲＯＭに予め記憶された「しばらくお待ちください。」等の第２の応答用メッセージを送出するように構成されている。
【００１５】
また、着信メッセージが記録されている時間を計測するための図示しないタイマが、制御回路３に接続されている。このような操作は、全て制御回路３からの指令によって行われ、そのような制御プログラムは、図示しない制御用ＲＯＭに記憶されている。
【００１６】
ここで、図４を参照して、アナログ回線における着信時の初期動作について、発信番号表示サービス（ナンバーディスプレイ）を一例として説明する。
外線が着信すると、電話回線６を介して情報受信端末起動信号という通常とは異なる鳴動パターンのベル信号が送られてくる。電話機回路１は、このベル鳴動を検出し、これを着信情報として制御回路３に送る。このとき、制御回路３は、鳴動パターンを検出して、この情報が情報受信端末起動信号えあることを判断し、ベル鳴動は行わない。
【００１７】
しかる後、制御回路３は、電話機回路１に応答命令を出して回線の直流ループを閉結するよう指示し、電話機回路１はその指示にしたがって、直流ループを閉結する（一次応答）。
【００１８】
その後、電話回線６からのモデム信号により発信者番号などの情報が送られてくるので、発信者番号検出回路２で検出し、これを制御回路３に送る。
【００１９】
受信動作が終了すると、制御回路３は電話機回路１に指示して電話回線６の直流ループを開放する。その後、従来の着信と同じ鳴動パターン（１秒鳴動、２秒断）のベル信号が送られてくる。
【００２０】
このとき、電話機回路１は、ベル鳴動を検出しこれを制御回路３に送る。制御回路３は、鳴動パターンを検出して、ベル鳴動を行う。
【００２１】
次に、この図４になる従来の留守番電話機２０の動作について、図５のフローチャートを併せ参照して説明する。
【００２２】
まず、録音再生回路４内に設けた固体記憶部であるＲＯＭには、工場出荷時において予め第２の応答用メッセージ、すなわち、固定的ＯＧＭとして「ピーという信号音の後にお名前とメッセージをお話ください。」、「しばらくお待ちください。」が記憶されていると共に、その他にタイムスタンプ用の時間及び曜日データも記憶されているものとする。
【００２３】
また同じく録音再生回路４内に設けたテープレコーダには、ユーザが第１の応答用メッセージ、すなわち、オリジナルＯＧＭとして「はい○○です。唯今出かけております。」を録音してあるものと仮定する。なお、○○はユーザの名前を示し、また、この第１の応答用メッセージとしては、ユーザが状況に応じた適切なメッセージを消去可能に録音できる。
【００２４】
さて、このような状況において、留守番機能がセットされて外線が着信すると、（Ｓ１）、録音メッセージの有無が判断される（Ｓ２）。録音メッセージ無（ＮＯ）と判断されると、呼び出しのベルが鳴り、その鳴動回数が５回になると、応答に移り、第１の応答用メッセージである「はい○○です。唯今出かけております。」を相手方に送出する（Ｓ３）。そして、外出先からのリモコン操作のためのパスワード検出を起動する。なお、鳴動回数は、タイマーで対応してもよいものである。
【００２５】
録音メッセージが有と判断されると、２回の鳴動後に応答に移り、第１の応答用メッセージである「はい○○です。唯今出かけております。」を相手方に送出する（Ｓ３）。そして、外出先からのリモコン操作のためのパスワード検出を起動する。なお、２回鳴動しても応答しない場合は、メッセージがないことを意味するので、３回の鳴動を聞いた後、すぐに電話機を切ることにより、前記した、いわゆるトールセーバが機能し、無用な料金は支払わずに済むものである。
【００２６】
【発明が解決しようとする課題】
しかるに、このトールセーバによれば、前記した如く、発信者側に聞こえるリングバックトーンの回数と、ベル鳴動回数が正確に一致しないため、判断ミスを犯し、トールセーバを有効に機能させることが出来ない場合がある。また、１件目の録音については、例えば、５回の鳴動を待たないと留守番電話機が応答してくれないので、より早くメッセージの有無を知りたい場合には、十分対応できないという問題点がある。また、第三者に留守録メッセージの有無が知られるという問題もある。
【００２７】
本発明はかかることがないように、予め登録した電話番号からの着信に対して、録音メッセージが存在しない場合は、応答しないように構成することにより、録音メッセージの有無を確実に外出先から知ることが出来、かつ、無用の通話料金を支払うことがないようにすると共に秘話性をも高めた留守番電話機を提供することを目的にしている。
【００２８】
【課題を解決するための手段】
本発明は、かかる課題に鑑みなされたものであり、請求項１に係る発明として、
電話回線６よりの情報が入力される電話機回路１と、前記電話機回路１から通知される発信者番号を検出する発信者番号検出手段２と、前記電話機回路１、発信者番号検出手段２にそれぞれ接続され、前記電話回線６への接続を制御する制御手段３と、前記制御手段３に接続され、特定の相手先の番号を記憶する記憶手段５と、前記制御手段３、電話機回路１に接続され、メッセージを録音再生する録音再生手段４とを備え、外部回線からの着信に際し、前記記憶手段５に記憶されている電話番号と、前記発信者番号検出手段２が検出した発信者番号とが一致し、かつ、前記録音再生手段４に録音されたメッセージが存在しない場合に、前記電話機回路１からの着信に対して応答しないよう構成した留守番電話機１０を、請求項２に係る発明として、電話回線６よりの情報が入力される電話機回路１と、前記電話機回路１から通知される発信者番号を検出する発信者番号検出手段２と、前記電話機回路１、発信者番号検出手段２にそれぞれ接続され、前記電話回線６への接続を制御する制御手段３と、前記制御手段３に接続され、特定の相手先の番号を記憶する記憶手段５と、前記制御手段３、電話機回路１に接続され、メッセージを録音再生する録音再生手段４とを備え、外部回線からの着信に際し、前記記憶手段５に記憶されている電話番号と、前記発信者番号検出手段が検出した発信者番号とが一致しない場合にはトールセーバ機能モードなり、前記検出した発信者番号とが一致し、かつ、前記録音再生手段に録音されたメッセージが存在しない場合に、前記発信者番号が一致しない場合に比べて、電話機回路１からの着信に対して応答するまでの経過時間を長くした、または、電話機回路１からの着信に対して応答するまでのベル鳴動回数が多くなるよう構成した留守番電話機１０をそれぞれ提供するものである。
【００２９】
【発明の実施の形態】
以下、本発明の好適な実施例を添付図面に基づいて説明する。なお、以下に述べる実施例は、本発明の好適な具体例であるから、技術的に好ましい種々の限定が付されているが、本発明の範囲は、以下の説明において特に本発明を限定する旨の記載がない限り、これらの態様に限られるものではない。
【００３０】
図１は、本発明になる留守番電話機１０のブロック構成図、図２は、第１のフローチャート、図３は、第２のフローチャートである。なお、以下の説明において、従来と同一構成部分は同一符号を付し、その詳細な説明は省略する。
【００３１】
図１において、留守番電話機１０の基本的な構成部分及び主な動作については従来と略同一なので、それと異なる主要構成部分のみを説明する。なお、発信者番号検出回路２は必須な構成である。
【００３２】
５は、前記した制御回路３に接続された記憶回路であり、例えば、半導体メモリにより構成されている。そして、この記憶回路５への特定番号（暗証番号）の登録は、次のようにして行われる。まず発信者は、例えば、電話回線６、電話機回路１を介して発信者番号検出回路２にて、発信者番号を受信してこれを制御回路３に送信し、制御回路３はこの受信情報を、しかるべき手段により自他識別用の特定番号（暗証番号）として、この記憶回路５内に書き込んでおく（登録する）ものである。
【００３３】
次に、本発明になる留守番電話機１０の動作について、図２、図３を併せ参照して説明する。まず、図２を参照して、実施例１について説明する。
【００３４】
【実施例１】
前記した如く、録音再生回路４内に設けた固体記憶部であるＲＯＭには、工場出荷時において予め第２の応答用メッセージ、すなわち、固定的ＯＧＭとして「ピーという信号音の後にお名前とメッセージをお話ください。」、「しばらくお待ちください。」が記憶されていると共に、その他にタイムスタンプ用の時間及び曜日データも記憶されているものとする。
【００３５】
また同じく録音再生回路４内に設けたテープレコーダには、ユーザが第１の応答用メッセージ、すなわち、オリジナルＯＧＭとして「はい○○です。唯今出かけております。」を録音してあるものと仮定する。なお、○○はユーザの名前を示し、また、この第１の応答用メッセージとしては、ユーザが状況に応じた適切なメッセージを消去可能に録音できるものである。
【００３６】
さて、このような状況において、外出先からメッセージの有無を確認する場合、例えば、携帯電話機を使って暗証番号を入力し、それを、例えば、自宅に電話する。電話回線６を経て、電話機回路１に外線が着信すると（Ｓ１１）、前記した如く、情報受信端末起動信号という、通常とは異なる鳴動パターンの呼び出しのベル信号が送られてくる。
【００３７】
電話機回路１は、このベル鳴動を検出し、これを着信情報として制御回路３に送る。この時、制御回路３は鳴動パターンを検出して、この情報が、情報受信端末起動信号であることを判断し、ベル鳴動を行なわない。
【００３８】
しかる後、制御回路３は電話機回路１に応答命令を出して回線の直流ループを閉結するように指示し、電話機回路１はその指示にしたがって直流ループを閉結する。
【００３９】
その後、電話回線６からのモデム信号により発信者番号などの情報が送られてくるので、発信者番号検出回路２でおれを検出し、発信者番号として制御回路３に送る。なお、前記した外線情報は、制御回路３に着信情報として入力される。
【００４０】
電話機回路１、発信者番号検出回路２を介して制御回路３に発信者電話番号が受信されている場合には、電話機回路１に直流ループが形成されて、この着信に対して自動応答する（図示せず）。次に、前記した制御回路３内に受信されている発信者電話番号と、前記した如く予め記憶回路５内に登録されている各登録（記憶）番号とが比較される（Ｓ１２）。例えば、それが不一致（ＮＯ）の場合は、応答して（Ｓ１６）、通常の留守録電話としての動作を行う。
【００４１】
ここで、発信者電話番号と登録番号のいずれかとが一致した場合（ＹＥＳ）には、発信者が登録者であると判断され、登録者に対する応答処理が実施される。まず、所有者などの各登録者に対する録音メッセージが登録されているか否か確認され（Ｓ１３）、登録されている場合（Ｓ１３：有）には、その録音メッセージに対応する音声データが録音再生回路４から読み出されて、その内部にある図示しない音声録再回路で再生され、電話機回路１を介して登録者側に送出される。
【００４２】
続いて、録音メッセージの再生と同様に所定の応答メッセージを再生し（Ｓ１５）、これに応じて発信者から送出された音声メッセージを用件メッセージとして、前述の再生とは逆のルートで録音再生回路４に記録する。用件メッセージの記録終了に応じて終話を検出し、これにより電話機回路１の直流ループが切断され、一連の着信処理が終了する。
【００４３】
また、ステップＳ１３において、録音メッセージが登録されていない場合には、メッセージを待受ける待受けモード（Ｓ１４）になるよう構成する。
【００４４】
【実施例２】
次に、図３を参照して、実施例２について説明する。
前記した実施例１と同様に、録音再生回路４内に設けた固体記憶部であるＲＯＭには、工場出荷時において予め第２の応答用メッセージ、すなわち、固定的ＯＧＭとして「ピーという信号音の後にお名前とメッセージをお話ください。」、「しばらくお待ちください。」が記憶されていると共に、その他にタイムスタンプ用の時間及び曜日データも記憶されているものとする。
【００４５】
また同じく録音再生回路４内に設けたテープレコーダには、ユーザが第１の応答用メッセージ、すなわち、オリジナルＯＧＭとして「はい○○です。唯今出かけております。」を録音してあるものと仮定する。なお、○○はユーザの名前を示し、また、この第１の応答用メッセージとしては、ユーザが状況に応じた適切なメッセージを消去可能に録音できるものである。
【００４６】
さて、このような状況において、外出先からメッセージの有無を確認する場合、例えば、携帯電話機を使って暗証番号を入力し、それを、例えば、自宅に電話する。電話回線６を経て、電話機回路１に外線が着信すると（Ｓ２１）、この外線は制御回路３に着信情報として入力される。
【００４７】
電話機回路１、発信者番号検出回路２を介して制御回路３に発信者電話番号が受信されている場合には、電話機回路１に直流ループが形成されて、この着信に対して自動応答する（図示せず）。次に、前記した制御回路３内に受信されている発信者電話番号と、前記した如く予め記憶回路５内に登録されている各登録（記憶）番号とが比較される（Ｓ２２）。
【００４８】
例えば、それが不一致（ＮＯ）の場合は、録音メッセージの有無が判断される（Ｓ２７）。録音メッセージ無（ＮＯ）と判断されると、呼び出しのベルが鳴り、その鳴動回数が５回になると、応答に移り、第１の応答用メッセージである「はい○○です。唯今出かけております。」を相手方に送出する（Ｓ２８）。そして、通常の留守番電話としての動作を行う。なお、鳴動回数は、タイマーで対応してもよいものである。
【００４９】
録音メッセージが有と判断されると、２回の鳴動後に応答に移り、第１の応答用メッセージである「はい○○です。唯今出かけております。」を相手方に送出する（Ｓ２８）。そして、通常の留守番電話としての動作を行う。なお、２回鳴動しても応答しない場合は、メッセージがないことを意味するので、３回の鳴動を聞いた後、すぐに電話機を切ることにより、前記した、いわゆるトールセーバが機能し、無用な料金は支払わずに済むものである。
【００５０】
ここで、発信者電話番号と登録番号のいずれかとが一致した場合（ＹＥＳ）には、発信者が登録者であると判断され、登録者に対する応答処理が実施される。まず、所有者などにより各登録者に対する録音メッセージが登録されているか否か確認され（Ｓ２３）、登録されている場合（Ｓ２３：ＹＥＳ）には、その録音メッセージに対応する音声データが録音再生回路４から読み出されて、その内部にある図示しない音声録再回路で再生され、電話機回路１を介して登録者側に送出される。
【００５１】
続いて、録音メッセージの再生と同様に所定の応答メッセージを再生し（Ｓ２６）、これに応じて発信者から送出された音声メッセージを用件メッセージとして、前述の再生とは逆のルートで録音再生回路４に記録する。用件メッセージの記録終了に応じて終話を検出し、これにより電話機回路１の直流ループが切断され、一連の着信処理が終了する。そしてその後は、通常の留守番電話としての動作を行う。
【００５２】
また、ステップＳ２３において、録音メッセージが登録されていない場合には、呼び出しのベルが鳴り、その鳴動回数を、通常のものより多くする（Ｓ２４）。すなわち、電話網からの着信に対して応答するまでの鳴動回数が多くなるようにして、録音メッセージがないことを確認しやすくしているものである。なお、所定の鳴動回数後は、メッセージを待受ける待受けモード（Ｓ２５）になるよう構成する。
【００５３】
同様に、ステップＳ２３において、録音メッセージが登録されていない場合には、前記記憶手段５に記憶されている電話番号と前記発信者番号検出手段２が検出した発信者番号が一致しない場合に比べて、電話機回路１からの着信に対して応答するまでの経過時間を長くするようにしてもよい。
【００５４】
【発明の効果】
請求項１になる発明によれば、電話回線よりの情報が入力される電話機回路と、前記電話機回路から通知される発信者番号を検出する発信者番号検出手段と、前記電話機回路、発信者番号検出手段にそれぞれ接続され、前記電話回線への接続を制御する制御手段と、前記制御手段に接続され、特定の相手先の番号を記憶する記憶手段と、前記制御手段、電話機回路に接続され、メッセージを録音再生する録音再生手段とを備え、外部回線からの着信に際し、前記記憶手段に記憶されている電話番号と、前記発信者番号検出手段が検出した発信者番号とが一致し、かつ、前記録音再生手段に録音されたメッセージが存在しない場合に、前記電話機回路からの着信に対して応答しないよう構成したので、確実に録音メッセージの有無を判断することが出来、従って、誤って、通話料金が発生することはなく、かつ、録音メッセージを聞き逃すことがない。また、発信者番号表示機能がある通常の電話機に対し、制御プログラムの一部を変更するだけで対応可能なため、コストアップ要素がほとんどなく、甚だ経済的である。
【００５５】
請求項２になる発明によれば、電話回線よりの情報が入力される電話機回路と、前記電話機回路から通知される発信者番号を検出する発信者番号検出手段と、前記電話機回路、発信者番号検出手段にそれぞれ接続され、前記電話回線への接続を制御する制御手段と、前記制御手段に接続され、特定の相手先の番号を記憶する記憶手段と、前記制御手段、電話機回路に接続され、メッセージを録音再生する録音再生手段とを備え、外部回線からの着信に際し、前記記憶手段に記憶されている電話番号と、前記発信者番号検出手段が検出した発信者番号とが一致しない場合にはトールセーバ機能モードなり、前記検出した発信者番号とが一致し、かつ、前記録音再生手段に録音されたメッセージが存在しない場合に、前記発信者番号が一致しない場合に比べて、電話機回路からの着信に対して応答するまでのベル鳴動回数が多くなるよう構成したので、公衆電話等からの記憶手段に記憶されている電話番号とは一致しない外線からの着信に対しても従来のトールセーバ機能モードを利用できる共に、記憶手段に記憶されている電話番号と一致する外線からの着信に対しては一致しない場合に比べて、確実に録音メッセージの有無を判断することが出来、従って、誤って、通話料金が発生することはなく、かつ、録音メッセージを聞き逃すことがない。また、発信者番号表示機能がある通常の電話機に対し、制御プログラムの一部を変更するだけで対応可能なため、コストアップ要素がほとんどなく、甚だ経済的である。
【図面の簡単な説明】
【図１】本発明に係る留守番電話機のブロック構成図である。
【図２】本発明に係る留守番電話機における第１のフローチャートである。
【図３】本発明に係る留守番電話機における第２のフローチャートである。
【図４】従来の留守番電話機のブロック構成図である。
【図５】従来の留守番電話機におけるフローチャートである。
【符号の説明】
１    電話機回路
２    発信者番号検出手段（回路）
３    制御手段（回路）
４    録音再生手段（回路）
５    記憶手段（回路）
６    電話回線
１０    留守番電話機
【図１】
0003815659.tif 000002
【図２】
0003815659.tif 000003
【図３】
0003815659.tif 000004
【図４】
0003815659.tif 000005
【図５】
0003815659.tif 000006